(57)【要約】【課題】ユーザの利便性を高めることができる画像形成システムを得る。【解決手段】本発明の画像形成システムは、第１の無線通信を行うことにより第１の画像データを送信する第１の携帯端末と、第１の無線通信を行うことにより第１の画像データを受信し、第１の画像データに基づいて画像を形成する画像形成装置とを備える。第１の携帯端末は、第１の通信設定情報を記憶し、第２の通信設定情報を記憶可能な第１の記憶部と、第１の通信部と、第１の通信部が第１の無線通信を行う場合に、第１の通信設定情報に基づいて第１の通信部の通信設定を行う第１の設定部とを有する。画像形成装置は、第１の通信設定情報を記憶し、第３の通信設定情報を記憶可能な第２の記憶部と、第２の通信部と、第２の通信部が第１の無線通信を行う場合に、第１の通信設定情報に基づいて第２の通信部の通信設定を行う第２の設定部と、画像形成部とを有する。【選択図】図１３Ａ
2019072928.tif 000002
【特許請求の範囲】
【請求項１】
第１の無線通信を行うことにより第１の画像データを送信する第１の携帯端末と、
前記第１の無線通信を行うことにより前記第１の画像データを受信し、前記第１の画像データに基づいて画像を形成する画像形成装置と
を備え、
前記第１の携帯端末は、
第１の通信設定情報を記憶し、第２の通信設定情報を記憶可能な第１の記憶部と、
前記第１の無線通信を行う第１の通信部と、
前記第１の通信部が前記第１の無線通信を行う場合に、前記第１の記憶部に記憶された前記第１の通信設定情報を選択し、前記第１の通信設定情報に基づいて前記第１の通信部の通信設定を行う第１の設定部と
を有し、
前記画像形成装置は、
前記第１の通信設定情報を記憶し、第３の通信設定情報を記憶可能な第２の記憶部と、
前記第１の無線通信を行う第２の通信部と、
前記第２の通信部が前記第１の無線通信を行う場合に、前記第２の記憶部に記憶された前記第１の通信設定情報を選択し、前記第１の通信設定情報に基づいて前記第２の通信部の通信設定を行う第２の設定部と
前記第２の通信部が受信した前記第１の画像データに基づいて画像を形成する画像形成部と
を有する
画像形成システム。
【請求項２】
前記第２の記憶部は、前記第３の通信設定情報を記憶し、
前記第２の設定部は、前記第２の通信部が前記第１の無線通信を行った後に、前記第３の通信設定情報に基づいて前記第２の通信部の通信設定を行う
請求項１に記載の画像形成システム。
【請求項３】
前記第１の携帯端末は、前記第１の通信部が前記第１の無線通信を行う場合に、前記画像形成装置に対して所定の操作を行うようにユーザに促す指示部をさらに有し、
前記画像形成装置は、前記所定の操作を受け付ける操作部をさらに有し、
前記第２の設定部は、前記操作部からの指示に基づいて、前記第２の記憶部に記憶された前記第１の通信設定情報を選択する
請求項１または請求項２に記載の画像形成システム。
【請求項４】
前記第１の通信設定情報は、固定された所定の通信設定情報である。
請求項１から請求項３のいずれか一項に記載の画像形成システム。
【請求項５】
前記第２の通信部は、前記画像形成装置が前記第１の無線通信の基地局として動作する第１の動作モードを含む複数の動作モードを有し、
前記第２の設定部は、前記第２の通信部が前記第１の無線通信を行う場合に、前記第２の通信部を前記第１の動作モードで動作させる
請求項１から請求項４のいずれか一項に記載の画像形成システム。
【請求項６】
前記第１の記憶部は、前記第２の通信設定情報を記憶し、
前記第１の設定部は、前記第１の通信部が前記第１の無線通信を行った後に、前記第２の通信設定情報に基づいて前記第１の通信部の通信設定を行う
請求項１から請求項５のいずれか一項に記載の画像形成システム。
【請求項７】
前記第１の通信設定情報は、ＳＳＩＤおよび暗号化キーのうちの一方または双方を含む
請求項１から請求項６のいずれか一項に記載の画像形成システム。
【請求項８】
前記第１の携帯端末には、前記第１の通信設定情報を含むソフトウェアがインストールされ、
前記第１の通信設定情報は、前記ソフトウェアがインストールされたときに、前記第１の記憶部に記憶される
請求項１から請求項７のいずれか一項に記載の画像形成システム。
【請求項９】
前記画像形成装置は、前記第１の携帯端末の前記第１の通信部が前記第１の無線通信を行う場合に、前記第１の携帯端末に対して第１の端末識別子を割り当てる識別子付与部をさらに有する
請求項１から請求項８のいずれか一項に記載の画像形成システム。
【請求項１０】
前記画像形成装置は、読取媒体に記録された情報を読み取ることにより第２の画像データを生成する画像読取部をさらに有し、前記第１の無線通信を行うことにより前記第２の画像データを送信し、
前記第１の携帯端末は、前記第１の無線通信を行うことにより前記第２の画像データを受信する
請求項１から請求項９のいずれか一項に記載の画像形成システム。
【請求項１１】
第２の無線通信を行うことにより第３の画像データを送信する第２の携帯端末をさらに備え、
前記画像形成装置は、前記第２の無線通信を行うことにより前記第３の画像データを受信し、前記第３の画像データに基づいて画像を形成し、
前記第２の携帯端末は、
前記第１の通信設定情報を記憶し、第４の通信設定情報を記憶可能な第３の記憶部と、
前記第２の無線通信を行う第３の通信部と、
前記第３の通信部が前記第２の無線通信を行う場合に、前記第３の記憶部に記憶された前記第１の通信設定情報を選択し、前記第１の通信設定情報に基づいて前記第３の通信部の通信設定を行う第３の設定部と
をさらに有する
請求項１から請求項１０のいずれか一項に記載の画像形成システム。
【請求項１２】
前記画像形成装置は、前記第１の携帯端末の前記第１の通信部が前記第１の無線通信を行う場合に、前記第１の携帯端末に対して第１の端末識別子を割り当て、前記第２の携帯端末の前記第３の通信部が前記第２の無線通信を行う場合に、前記第２の携帯端末に対して第２の端末識別子を割り当てる識別子付与部をさらに有する
請求項１１に記載の画像形成システム。
【請求項１３】
第１の無線通信を行うことにより第１の画像データを送信する第１の携帯端末と、
前記第１の無線通信を行うことにより前記第１の画像データを受信し、前記第１の画像データに基づいて画像を形成する画像形成装置と
を備え、
前記第１の携帯端末は、
前記画像形成装置から第１の通信設定情報を取得する取得部と、
第２の通信設定情報を記憶可能な第１の記憶部と、
前記第１の無線通信を行う第１の通信部と、
前記第１の通信部が前記第１の無線通信を行う場合に、前記取得部が取得した前記第１の通信設定情報を選択し、前記第１の通信設定情報に基づいて前記第１の通信部の通信設定を行う第１の設定部と
を有し、
前記画像形成装置は、
前記第１の通信設定情報を記憶し、第３の通信設定情報を記憶可能な第２の記憶部と、
前記第２の記憶部が記憶する前記第１の通信設定情報を前記第１の携帯端末に供給する供給部と、
前記第１の無線通信を行う第２の通信部と、
前記第２の通信部が前記第１の無線通信を行う場合に、前記第２の記憶部に記憶された前記第１の通信設定情報を選択し、前記第１の通信設定情報に基づいて前記第２の通信部の通信設定を行う第２の設定部と
前記第２の通信部が受信した前記第１の画像データに基づいて画像を形成する画像形成部と
を有する
画像形成システム。
【請求項１４】
前記画像形成装置は、前記第１の通信設定情報を生成する情報生成部をさらに有し、
前記第２の記憶部は、前記情報生成部が生成した前記第１の通信設定情報を記憶する
請求項１３に記載の画像形成システム。
【請求項１５】
前記供給部は、近距離無線通信により前記第１の通信設定情報を前記第１の携帯端末に供給する
請求項１３または請求項１４に記載の画像形成システム。
【請求項１６】
第１の通信設定情報を記憶し、第３の通信設定情報を記憶可能な第２の記憶部と、
第１の無線通信を行うことにより第１の画像データを受信する第２の通信部と、
前記第２の通信部が前記第１の無線通信を行う場合に、前記第２の記憶部に記憶された前記第１の通信設定情報を選択し、前記第１の通信設定情報に基づいて前記第２の通信部の通信設定を行う第２の設定部と
前記第２の通信部が受信した前記第１の画像データに基づいて画像を形成する画像形成部と
を備えた画像形成装置。
【請求項１７】
前記第２の記憶部が記憶する前記第１の通信設定情報を第１の携帯端末に供給する供給部をさらに備えた
請求項１６に記載の画像形成装置。
【発明の詳細な説明】
【技術分野】
【０００１】
本発明は、画像を形成する画像形成システム、およびそのような画像形成システムに用いられる画像形成装置に関する。
【背景技術】
【０００２】
画像形成装置には、様々な電子機器と無線通信を行うことにより印刷データを受け取り、受け取った印刷データに基づいて記録媒体に画像を形成するものがある。無線通信では、例えば、無線通信を確立するための通信設定情報に基づいて通信設定を行った後に、通信が行われる。例えば、特許文献１には、無線通信を確立するための通信設定情報と、この通信設定情報の書き換えの許可または禁止に関する書換可否情報とに基づいて、通信設定情報を書き換える画像形成装置が開示されている。
【先行技術文献】
【特許文献】
【０００３】
【特許文献１】特開２００８−４６９７７号公報
【発明の概要】
【発明が解決しようとする課題】
【０００４】
ところで、一般に、電子機器では、ユーザの利便性が高いことが望まれており、互いに無線通信可能な画像形成装置および電子機器を含む画像形成システムにおいても、さらなる利便性の向上が期待されている。
【０００５】
ユーザの利便性を高めることができる画像形成システムおよび画像形成装置を提供することが望ましい。
【課題を解決するための手段】
【０００６】
本発明の一実施の形態における第１の画像形成システムは、第１の携帯端末と、画像形成装置とを備えている。第１の携帯端末は、第１の無線通信を行うことにより第１の画像データを送信するものである。画像形成装置は、第１の無線通信を行うことにより第１の画像データを受信し、第１の画像データに基づいて画像を形成するものである。上記第１の携帯端末は、第１の記憶部と、第１の通信部と、第１の設定部とを有している。第１の記憶部は、第１の通信設定情報を記憶し、第２の通信設定情報を記憶可能なものである。第１の通信部は、第１の無線通信を行うものである。第１の設定部は、第１の通信部が第１の無線通信を行う場合に、第１の記憶部に記憶された第１の通信設定情報を選択し、第１の通信設定情報に基づいて第１の通信部の通信設定を行うものである。上記画像形成装置は、第２の記憶部と、第２の通信部と、第２の設定部と、画像形成部とを有している。第２の記憶部は、第１の通信設定情報を記憶し、第３の通信設定情報を記憶可能なものである。第２の通信部は、第１の無線通信を行うものである。第２の設定部は、第２の通信部が第１の無線通信を行う場合に、第２の記憶部に記憶された第１の通信設定情報を選択し、第１の通信設定情報に基づいて第２の通信部の通信設定を行うものである。画像形成部は、第２の通信部が受信した第１の画像データに基づいて画像を形成するものである。
【０００７】
本発明の一実施の形態における第２の画像形成システムは、第１の携帯端末と、画像形成装置とを備えている。第１の携帯端末は、第１の無線通信を行うことにより第１の画像データを送信するものである。画像形成装置は、第１の無線通信を行うことにより第１の画像データを受信し、第１の画像データに基づいて画像を形成するものである。上記第１の携帯端末は、取得部と、第１の記憶部と、第１の通信部と、第１の設定部とを備えている。取得部は、画像形成装置から第１の通信設定情報を取得するものである。第１の記憶部は、第２の通信設定情報を記憶可能なものである。第１の通信部は、第１の無線通信を行うものである。第１の設定部は、第１の通信部が第１の無線通信を行う場合に、取得部が取得した第１の通信設定情報を選択し、第１の通信設定情報に基づいて第１の通信部の通信設定を行うものである。上記画像形成装置は、第２の記憶部と、供給部と、第２の通信部と、第２の設定部と、画像形成部とを有している。第２の記憶部は、第１の通信設定情報を記憶し、第３の通信設定情報を記憶可能なものである。供給部は、第２の記憶部が記憶する第１の通信設定情報を第１の携帯端末に供給するものである。第２の通信部は、第１の無線通信を行うものである。第２の設定部は、第２の通信部が第１の無線通信を行う場合に、第２の記憶部に記憶された第１の通信設定情報を選択し、第１の通信設定情報に基づいて第２の通信部の通信設定を行うものである。画像形成部は、第２の通信部が受信した第１の画像データに基づいて画像を形成するものである。
【０００８】
本発明の一実施の形態における画像形成装置は、第２の記憶部と、第２の通信部と、第２の設定部と、画像形成部とを備えている。第２の記憶部は、第１の通信設定情報を記憶し、第３の通信設定情報を記憶可能なものである。第２の通信部は、第１の無線通信を行うことにより第１の画像データを受信するものである。第２の設定部は、第２の通信部が第１の無線通信を行う場合に、第２の記憶部に記憶された第１の通信設定情報を選択し、第１の通信設定情報に基づいて第２の通信部の通信設定を行うものである。画像形成部は、第２の通信部が受信した第１の画像データに基づいて画像を形成するものである。
【発明の効果】
【０００９】
本発明の一実施の形態における第１の画像形成システムによれば、第１の通信部が第１の無線通信を行う場合に、第１の記憶部に記憶された第１の通信設定情報を選択し、第１の通信設定情報に基づいて第１の通信部の通信設定を行い、第２の通信部が第１の無線通信を行う場合に、第２の記憶部に記憶された第１の通信設定情報を選択し、第１の通信設定情報に基づいて第２の通信部の通信設定を行うようにしたので、ユーザの利便性を高めることができる。
【００１０】
本発明の一実施の形態における第２の画像形成システムによれば、第１の通信部が第１の無線通信を行う場合に、取得部が取得した第１の通信設定情報を選択し、第１の通信設定情報に基づいて第１の通信部の通信設定を行い、第２の通信部が第１の無線通信を行う場合に、第２の記憶部に記憶された第１の通信設定情報を選択し、第１の通信設定情報に基づいて第２の通信部の通信設定を行うようにしたので、ユーザの利便性を高めることができる。
【００１１】
本発明の一実施の形態における画像形成装置によれば、第２の通信部が第１の無線通信を行う場合に、第２の記憶部に記憶された第１の通信設定情報を選択し、第１の通信設定情報に基づいて第２の通信部の通信設定を行うようにしたので、ユーザの利便性を高めることができる。
【図面の簡単な説明】
【００１２】
【図１Ａ】一実施の形態に係る画像形成システムの一構成例を表すブロック図である。
【図１Ｂ】一実施の形態に係る画像形成システムの他の構成例を表すブロック図である。
【図２】図１Ａ，１Ｂに示したアクセスポイントの一構成例を表すブロック図である。
【図３】図２に示したアクセスポイントに記憶された通信設定情報の一例を表す説明図である。
【図４】第１の実施の形態に係るスマートフォンの一構成例を表すブロック図である。
【図５】図４に示したスマートフォンに記憶された通信設定情報の一例を表す説明図である。
【図６】図４に示したスマートフォンに記憶された通信設定情報の一例を表す他の説明図である。
【図７】図４に示したスマートフォンに記憶された通信設定情報の一例を表す他の説明図である。
【図８】第１の実施の形態に係る画像形成装置の一構成例を表すブロック図である。
【図９】図８に示した表示操作部の一構成例を表す説明図である。
【図１０】図８に示した画像形成装置に記憶された通信設定情報の一例を表す説明図である。
【図１１】図８に示した画像形成装置に記憶された通信設定情報の一例を表す他の説明図である。
【図１２】図８に示した画像形成装置に記憶された通信設定情報の一例を表す他の説明図である。
【図１３Ａ】第１の実施の形態に係る画像形成システムの一動作例を表すシーケンス図である。
【図１３Ｂ】第１の実施の形態に係る画像形成システムの一動作例を表す他のシーケンス図である。
【図１４】図４に示したスマートフォンの表示画面の一例を表す説明図である。
【図１５】図４に示したスマートフォンの表示画面の他の例を表す説明図である。
【図１６】図９に示した表示操作部の一動作例を表す説明図である。
【図１７】図９に示した表示操作部の一動作例を表す他の説明図である。
【図１８】図９に示した表示操作部の一動作例を表す他の説明図である。
【図１９】図４に示したスマートフォンの表示画面の他の例を表す説明図である。
【図２０】図１３Ｂに示した印刷完了通知の一例を表す説明図である。
【図２１】変形例に係る多機能周辺装置の一構成例を表すブロック図である。
【図２２】第２の実施の形態に係るスマートフォンの一構成例を表すブロック図である。
【図２３】第２の実施の形態に係る画像形成装置の一構成例を表すブロック図である。
【図２４Ａ】第２の実施の形態に係る画像形成システムの一動作例を表すシーケンス図である。
【図２４Ｂ】第２の実施の形態に係る画像形成システムの一動作例を表す他のシーケンス図である。
【図２５】図２２に示したスマートフォンの表示画面の一例を表す説明図である。
【発明を実施するための形態】
【００１３】
以下、本発明の実施の形態について、図面を参照して詳細に説明する。なお、説明は以下の順序で行う。
１．第１の実施の形態
２．第２の実施の形態
【００１４】
＜１．第１の実施の形態＞
［構成例］
図１Ａ，１Ｂは、本発明の一実施の形態に係る画像形成システム（画像形成システム１）の一構成例を表すものであり、図１Ａは、ある状態における画像形成システム１（画像形成システム１Ａ）の一例を示し、図１Ｂは、他の状態における画像形成システム１（画像形成システム１Ｂ）の一例を示す。画像形成システム１は、無線通信により供給された画像データに基づいて、記録媒体に画像を形成するものである。
【００１５】
画像形成システム１は、図１Ａ，１Ｂに示したように、アクセスポイント１０と、３つのスマートフォン２０（スマートフォン２０Ａ，２０Ｂ，２０Ｃ）と、２つの画像形成装置３０（画像形成装置３０Ａ，３０Ｂ）とを備えている。アクセスポイント１０および画像形成装置３０Ａ，３０Ｂは、この例では、あるオフィス（この例では大阪オフィス）に設置されている。
【００１６】
アクセスポイント１０は、無線ＬＡＮ（Local Area Network）の基地局である。アクセスポイント１０は、アクセスポイント１０と通信を行うスマートフォン２０および画像形成装置３０などの無線ＬＡＮ端末（以下、ステーションＳＴＡとも呼ぶ）を用いてＢＳＳ（Basic Service Set）を構成し、アクセスポイント１０とステーションＳＴＡとの間で無線通信Ｗを行うことにより、ステーションＳＴＡ同士の通信を中継するようになっている。
【００１７】
スマートフォン２０のそれぞれは、多機能携帯電話である。スマートフォン２０のそれぞれは、無線ＬＡＮを用いて無線通信Ｗを行う機能をも有している。この例では、スマートフォン２０Ａ，２０Ｂ（図１Ａ，１Ｂ）は、大阪オフィスに勤務するユーザが所有するものであり、スマートフォン２０Ｃ（図１Ｂ）は、東京オフィスに勤務するユーザが所有するものである。この例では、スマートフォン２０のそれぞれは、画像形成装置３０と無線通信Ｗを行うことにより、ユーザの操作に基づいて、画像形成装置３０に対して印刷データＤＰを送信するようになっている。
【００１８】
画像形成装置３０のそれぞれは、スマートフォン２０から送信された印刷データＤＰに基づいて、記録媒体に画像を形成するものである。画像形成装置３０のそれぞれは、無線ＬＡＮを用いて無線通信Ｗを行う機能を有しており、この無線ＬＡＮを用いて、スマートフォン２０から送信された印刷データＤＰを受信するようになっている。画像形成装置３０のそれぞれは、２つの動作モードＭ（インフラストラクチャモードＭ１およびアクセスポイントモードＭ２）を有している。インフラストラクチャモードＭ１は、図１Ａに示したように、画像形成装置３０が、アクセスポイント１０を介して、スマートフォン２０との間で、無線ＬＡＮを用いて無線通信Ｗを行う動作モードである。アクセスポイントモードＭ２は、図１Ｂに示したように、画像形成装置３０（この例では画像形成装置３０Ｂ）が、アクセスポイント１０を介さずに、スマートフォン２０（この例ではスマートフォン２０Ｃ）との間で、無線ＬＡＮを用いて、直接、無線通信Ｗを行う動作モードである。具体的には、このアクセスポイントモードＭ２では、画像形成装置３０は、自らがアクセスポイントとして動作することにより、スマートフォン２０との間で無線通信Ｗを行うようになっている。
【００１９】
この構成により、画像形成システム１Ａでは、図１Ａに示したように、スマートフォン２０Ａ，２０Ｂおよび画像形成装置３０Ａ，３０Ｂは、アクセスポイント１０を介して、無線通信Ｗを行う。すなわち、この例では、画像形成装置３０Ａ，３０Ｂは、ともにインフラストラクチャモードＭ１で動作する。
【００２０】
また、画像形成システム１Ｂでは、図１Ｂに示したように、画像形成システム１Ａと同様に、スマートフォン２０Ａ，２０Ｂおよび画像形成装置３０Ａは、アクセスポイント１０を介して、無線通信Ｗを行う。また、スマートフォン２０Ｃおよび画像形成装置３０Ｂは、アクセスポイント１０を介さずに、直接、無線通信Ｗを行う。すなわち、この例では、画像形成装置３０Ａは、インフラストラクチャモードＭ１で動作し、画像形成装置３０Ｂは、アクセスポイントモードＭ２で動作するようになっている。
【００２１】
（アクセスポイント１０）
図２は、アクセスポイント１０の一構成例を表すものである。アクセスポイント１０は、制御部１１と、記憶部１２と、接続部１３と、データ通信モジュール１１０とを有している。
【００２２】
制御部１１は、アクセスポイント１０における動作を制御するものであり、例えばＣＰＵ（Central Processing Unit）およびＲＡＭ（Random Access Memory）を含むモジュールを用いて構成される。記憶部１２は、アクセスポイント１０において実行されるプログラム、通信データ、各種設定データなどを記憶するものであり、例えば不揮発性メモリを用いて構成される。接続部１３は、データ通信モジュール１１０に対するインタフェースである。制御部１１、記憶部１２、および接続部１３は、アクセスポイント１０における、いわゆる“ホスト”を構成する。
【００２３】
データ通信モジュール１１０は、無線ＬＡＮを用いて無線通信Ｗを行うものである。データ通信モジュール１１０は、制御部１１１と、記憶部１１２と、通信部１１３と、接続部１１４とを有している。
【００２４】
制御部１１１は、データ通信モジュール１１０における動作を制御するものであり、例えばＣＰＵおよびＲＡＭを用いて構成される。
【００２５】
記憶部１１２は、データ通信モジュール１１０において実行されるプログラム、通信データ、各種設定データなどを記憶するものであり、例えば不揮発性メモリを用いて構成される。記憶部１１２は、通信設定情報ＩＮＦ１０を記憶している。通信設定情報ＩＮＦ１０は、アクセスポイント１０とステーションＳＴＡとの間で無線通信Ｗを確立するための通信設定に関する情報であり、ＳＳＩＤ（Service Set Identifier）および暗号化キーについての情報を含んでいる。ＳＳＩＤは、無線ＬＡＮの基地局の識別子であり、暗号化キーは、無線通信Ｗによる通信内容を暗号化するためのキーワードである。
【００２６】
図３は、アクセスポイント１０の記憶部１１２に記憶された通信設定情報ＩＮＦ１０の一例を表すものである。この例では、ＳＳＩＤは、“OSAKA_OFFICE”に設定されており、暗号化キーは、“33334444CCCCdddd”に設定されている。
【００２７】
通信部１１３は、例えば、通信データを変調してＲＦ（Radio Frequency）信号を生成する変調回路、ＲＦ信号を復調して通信データを生成する復調回路、アンテナ１１３Ａなどを有するものである。この構成により、通信部１１３は、通信データを変調することによりＲＦ信号を生成し、生成したＲＦ信号をアンテナ１１３Ａを用いて送信する。また、通信部１１３は、アンテナ１１３Ａで受信したＲＦ信号を復調することにより通信データを生成するようになっている。
【００２８】
接続部１１４は、アクセスポイント１０のホスト（制御部１１、記憶部１２、および接続部１３）に対するインタフェースである。
【００２９】
（スマートフォン２０）
次に、スマートフォン２０の一構成例について、スマートフォン２０Ｃを例に挙げて説明する。
【００３０】
図４は、スマートフォン２０Ｃの一構成例を表すものである。スマートフォン２０Ｃは、表示操作部２１と、制御部２２と、処理部２３と、記憶部２４と、電話通信モジュール２５と、接続部２６と、データ通信モジュール１２０とを有している。
【００３１】
表示操作部２１は、ユーザの操作を受け付けるとともに、スマートフォン２０Ｃの動作状態や、ユーザへの指示などを表示するものであり、例えば、液晶ディスプレイ、タッチパネル、各種インジケータ、各種ボタンなどを用いて構成されるものである。
【００３２】
制御部２２は、スマートフォン２０Ｃにおける動作を制御するものである。処理部２３は、プログラムを実行することにより、様々な処理を行うものである。制御部２２および処理部２３は、例えばＣＰＵおよびＲＡＭを含むモジュールを用いて構成される。このスマートフォン２０Ｃには、印刷アプリケーションソフトウェア２００がインストールされており、処理部２３は、この印刷アプリケーションソフトウェア２００を実行する。この印刷アプリケーションソフトウェア２００は、表示操作プログラム２０１と、印刷データ処理プログラム２０２とを含んでいる。表示操作プログラム２０１は、表示操作部２１に、情報を表示させるとともにユーザの操作を受け付けさせるものである。印刷データ処理プログラム２０２は、印刷すべき情報を、画像形成装置３０が解釈できるデータ（印刷データＤＰ）に変換するものである。
【００３３】
記憶部２４は、スマートフォン２０Ｃにおいて実行されるプログラム、通信データ、各種設定データなどを記憶するものであり、例えば不揮発性メモリを用いて構成される。記憶部２４は、インストールされた印刷アプリケーションソフトウェア２００を記憶している。また、記憶部２４は、２つの通信設定情報ＩＮＦ９，ＩＮＦ２０を記憶している。通信設定情報ＩＮＦ９は、このスマートフォン２０Ｃと、東京オフィスに設置されたアクセスポイント９（図示せず）との間で無線通信Ｗを確立するための通信設定に関する情報である。通信設定情報ＩＮＦ２０は、このスマートフォン２０Ｃと、アクセスポイントモードＭ２で動作する画像形成装置３０（この例では画像形成装置３０Ｃ）との間で無線通信Ｗを確立するための通信設定に関する情報である。
【００３４】
図５は、記憶部２４に記憶された通信設定情報ＩＮＦ９，ＩＮＦ２０の一例を表すものである。この例では、通信設定情報ＩＮＦ９では、ＳＳＩＤは、“TOKYO_OFFICE”に設定されており、暗号化キーは、“11112222AAAAbbbb”に設定されている。また、通信設定情報ＩＮＦ２０では、ＳＳＩＤは、“PrintFromSmartPhone”に設定されており、暗号化キーは、“9999999999”に設定されている。
【００３５】
この通信設定情報ＩＮＦ９は、例えば、最初にスマートフォン２０Ｃを東京オフィスに設置されたアクセスポイント９に無線接続する際に、ユーザにより入力され、スマートフォン２０Ｃの記憶部２４に記憶される。また、通信設定情報ＩＮＦ２０は、印刷アプリケーションソフトウェア２００をスマートフォン２０Ｃにインストールする際に、スマートフォン２０Ｃの記憶部２４に記憶される。すなわち、印刷アプリケーションソフトウェア２００は、通信設定情報ＩＮＦ２０についての情報を含んでいる。言い換えれば、この通信設定情報ＩＮＦ２０は、変更可能なものではなく、固定的なものである。そして、この印刷アプリケーションソフトウェア２００は、印刷アプリケーションソフトウェア２００をスマートフォン２０Ｃにインストールする際に、このような固定的な通信設定情報ＩＮＦ２０を記憶部２４に記憶するようにプログラムされている。
【００３６】
電話通信モジュール２５は、例えばＬＴＥ（Long Term Evolution）などを用いて、携帯電話の基地局との間で無線通信を行うものである。
【００３７】
接続部２６は、データ通信モジュール１２０に対するインタフェースである。
【００３８】
データ通信モジュール１２０は、無線ＬＡＮを用いて無線通信Ｗを行うものである。データ通信モジュール１２０は、制御部１２１と、記憶部１２２と、通信部１２３と、接続部１２４とを有している。すなわち、データ通信モジュール１２０は、アクセスポイント１０のデータ通信モジュール１１０と同様の構成を有するものである。記憶部１２２は、１つの通信設定情報ＩＮＦ（図４では通信設定情報ＩＮＦ２０）を記憶する。記憶部１２２に記憶された通信設定情報ＩＮＦは、制御部２２により書き換え可能に構成されている。
【００３９】
図６，７は、記憶部１２２に記憶され得る通信設定情報ＩＮＦの一例を表すものであり、図６は、通信設定情報ＩＮＦ９の一例を示し、図７は、通信設定情報ＩＮＦ２０の一例を示す。具体的には、通常は、記憶部１２２には、図６に示したように、記憶部２４に記憶された通信設定情報ＩＮＦ９と同じ情報が記憶されている。これにより、スマートフォン２０Ｃは、東京オフィスにおいて、アクセスポイント９と無線通信Ｗを行うことができる。また、スマートフォン２０Ｃのユーザが大阪オフィスに出張し、スマートフォン２０Ｃを、アクセスポイントモードＭ２で動作する画像形成装置３０Ｂに接続する場合には、スマートフォン２０Ｃの制御部２２は、図７に示したように、記憶部２４に記憶された通信設定情報ＩＮＦ２０を、一時的に記憶部１２２に記憶させる。これにより、スマートフォン２０Ｃは、図１Ｂに示したように、大阪オフィスにおいて、アクセスポイントモードＭ２で動作する画像形成装置３０Ｂと無線通信Ｗを行うことができるようになっている。
【００４０】
以上、スマートフォン２０Ｃを例に挙げて説明したが、スマートフォン２０Ａ，２０Ｂについても同様である。例えば、スマートフォン２０Ａでは、データ通信モジュール１２０の記憶部１２２は、通信設定情報ＩＮＦ１０を記憶している。この通信設定情報ＩＮＦ１０は、アクセスポイント１０に記憶された通信設定情報ＩＮＦ１０（図３）と同じである。通信設定情報ＩＮＦ１０は、例えば、最初にスマートフォン２０Ａをアクセスポイント１０に無線接続する際に、ユーザにより入力され、スマートフォン２０Ａの記憶部２４に記憶されるとともに、スマートフォン２０Ａの記憶部１２２に記憶される。これにより、スマートフォン２０Ａは、図１Ａに示したように、アクセスポイント１０を介して画像形成装置３０Ａ，３０Ｂと無線通信Ｗを行うことができ、図１Ｂに示したように、アクセスポイント１０を介して画像形成装置３０Ａと無線通信Ｗを行うことができるようになっている。
【００４１】
（画像形成装置３０）
次に、画像形成装置３０の一構成例について、画像形成装置３０Ｂを例に挙げて説明する。
【００４２】
図８は、画像形成装置３０Ｂの一構成例を表すものである。画像形成装置３０Ｂは、表示操作部３１と、制御部３２と、記憶部３３と、画像形成部３４と、接続部３５と、データ通信モジュール１３０とを有している。
【００４３】
表示操作部３１は、ユーザの操作を受け付けるとともに、画像形成装置３０Ｂの動作状態や、ユーザへの指示などを表示するものである。
【００４４】
図９は、表示操作部３１の一構成例を表すものである。表示操作部３１は、表示部４１と、上ボタン４２と、下ボタン４３と、“ＯＫ”ボタン４４と、“戻る”ボタン４５とを有している。表示部４１は、情報を表示するものであり、例えば液晶ディスプレイを用いて構成される。この例では、表示部４１は、いわゆる待機画面を表示している。この待機画面は、画像形成部３４における、４色の現像剤（シアン色（Ｃ）、マゼンタ色（Ｍ）、黄色（Ｙ）、および黒色（Ｋ））のそれぞれの残量を示している。上ボタン４２および下ボタン４３は、項目を選択する際にユーザが操作するボタンである。“ＯＫ”ボタン４４は、次に進む際にユーザが操作するボタンである。“戻る”ボタン４５は、１つ前に戻る際にユーザが操作するボタンである。
【００４５】
制御部３２は、画像形成装置３０Ｂにおける動作を制御するものである。制御部３２は、例えばＣＰＵおよびＲＡＭを含むモジュールを用いて構成される。
【００４６】
記憶部３３は、画像形成装置３０Ｂにおいて実行されるプログラム、通信データ、各種設定データなどを記憶するものであり、例えば不揮発性メモリを用いて構成される。記憶部３３は、２つの通信設定情報ＩＮＦ１０，ＩＮＦ２０を記憶している。
【００４７】
図１０は、記憶部３３に記憶された通信設定情報ＩＮＦ１０，ＩＮＦ２０の一例を表すものである。通信設定情報ＩＮＦ１０は、アクセスポイント１０に記憶された通信設定情報ＩＮＦ１０（図３）と同じであり、通信設定情報ＩＮＦ２０は、スマートフォン２０Ｃに記憶された通信設定情報ＩＮＦ２０（図５）と同じである。
【００４８】
この通信設定情報ＩＮＦ１０は、例えば、最初に画像形成装置３０Ｂをアクセスポイント１０に無線接続する際に、ユーザにより入力され、画像形成装置３０Ｂの記憶部３３に記憶される。また、通信設定情報ＩＮＦ２０は、例えば、ファームウェアを画像形成装置３０Ｂにインストールする際に、画像形成装置３０Ｂの記憶部３３に記憶される。すなわち、ファームウェアは、通信設定情報ＩＮＦ２０についての情報を含んでいる。言い換えれば、この通信設定情報ＩＮＦ２０は、変更可能なものではなく、固定的なものである。そして、このファームウェアは、例えば画像形成装置３０Ｂの製造時などにファームウェアを画像形成装置３０Ｂにインストールする際に、このような固定的な通信設定情報ＩＮＦ２０を記憶部３３に記憶するようにプログラムされている。
【００４９】
画像形成部３４は、スマートフォン２０から送信された印刷データＤＰに基づいて、記録媒体に画像を形成するものである。この例では、画像形成部３４は、４色の現像剤（シアン色（Ｃ）、マゼンタ色（Ｍ）、黄色（Ｙ）、および黒色（Ｋ））を用いて、記録媒体に画像を形成するようになっている。なお、これに限定されるものではなく、これに代えて、例えば、３色の現像剤（例えばシアン色、マゼンタ色、および黄色）を用いて、記録媒体に画像を形成してもよいし、１色の現像剤（例えば黒色）を用いて、記録媒体に画像を形成してもよい。
【００５０】
接続部３５は、データ通信モジュール１３０に対するインタフェースである。
【００５１】
データ通信モジュール１３０は、無線ＬＡＮを用いて無線通信Ｗを行うものである。データ通信モジュール１３０は、制御部１３１と、記憶部１３２と、通信部１３３と、接続部１３４とを有している。すなわち、データ通信モジュール１３０は、アクセスポイント１０のデータ通信モジュール１１０と同様の構成を有するものである。記憶部１３２は、１つの通信設定情報ＩＮＦ（図４では通信設定情報ＩＮＦ２０）を記憶する。記憶部１３２に記憶された通信設定情報ＩＮＦは、制御部３２により書き換え可能に構成されている。
【００５２】
図１１，１２は、記憶部１３２に記憶され得る通信設定情報ＩＮＦの一例を表すものであり、図１１は、通信設定情報ＩＮＦ１０の一例を示し、図１２は、通信設定情報ＩＮＦ２０の一例を示す。具体的には、通常は、記憶部１３２には、図１１に示したように、記憶部３３に記憶された通信設定情報ＩＮＦ１０と同じ情報が記憶されている。これにより、画像形成装置３０Ｂは、図１Ａに示したように、アクセスポイント１０と無線通信Ｗを行うことができる。スマートフォン２０Ｃのユーザが大阪オフィスに出張し、スマートフォン２０Ｃを、アクセスポイントモードＭ２で動作する画像形成装置３０Ｂに接続する場合には、画像形成装置３０Ｂの制御部３２は、図１２に示したように、記憶部３３に記憶された通信設定情報ＩＮＦ２０を、一時的に記憶部１３２に記憶させる。これにより、アクセスポイントモードＭ２で動作する画像形成装置３０Ｂは、図１Ｂに示したように、大阪オフィスにおいて、スマートフォン２０Ｃと無線通信Ｗを行うことができるようになっている。
【００５３】
以上、画像形成装置３０Ｂを例に挙げて説明したが、画像形成装置３０Ａについても同様である。画像形成装置３０Ａでは、データ通信モジュール１３０の記憶部１３２は、通信設定情報ＩＮＦ１０を記憶している。この通信設定情報ＩＮＦ１０は、アクセスポイント１０に記憶された通信設定情報ＩＮＦ１０（図３）と同じである。通信設定情報ＩＮＦ１０は、例えば、最初に画像形成装置３０Ａをアクセスポイント１０に無線接続する際に、ユーザにより入力され、画像形成装置３０Ａの記憶部１３２に記憶される。これにより、画像形成装置３０Ａは、図１Ａ，１Ｂに示したように、アクセスポイント１０を介してスマートフォン２０Ａ，２０Ｂと無線通信Ｗを行うことができるようになっている。
【００５４】
ここで、スマートフォン２０Ｃは、本発明における「第１の携帯端末」の一具体例に対応する。画像形成装置３０Ｂは、本発明における「画像形成装置」の一具体例に対応する。印刷データＤＰは、本発明における「第１の画像データ」の一具体例に対応する。
【００５５】
記憶部２４は、本発明における「第１の記憶部」の一具体例に対応する。通信設定情報ＩＮＦ２０は、本発明における「第１の通信設定情報」の一具体例に対応する。通信設定情報ＩＮＦ９は、本発明における「第２の通信設定情報」の一具体例に対応する。データ通信モジュール１２０は、本発明における「第１の通信部」の一具体例に対応する。制御部２２および処理部２３は、本発明における「第１の設定部」の一具体例に対応する。
【００５６】
記憶部３３は、本発明における「第２の記憶部」の一具体例に対応する。通信設定情報ＩＮＦ１０は、本発明における「第３の通信設定情報」の一具体例に対応する。データ通信モジュール１３０は、本発明における「第２の通信部」の一具体例に対応する。制御部３２は、本発明における「第２の設定部」の一具体例に対応する。画像形成部３４は、本発明における「画像形成部」の一具体例に対応する。
【００５７】
［動作および作用］
続いて、本実施の形態の画像形成システム１の動作および作用について説明する。
【００５８】
（全体動作概要）
まず、図１Ａ，１Ｂを参照して、画像形成システム１の全体動作概要を説明する。画像形成システム１Ａ（図１Ａ）では、アクセスポイント１０の記憶部１１２は通信設定情報ＩＮＦ１０を記憶し、スマートフォン２０Ａ，２０Ｂの記憶部１２２は通信設定情報ＩＮＦ１０を記憶している。また、画像形成装置３０Ａ，３０Ｂは、ともにインフラストラクチャモードＭ１で動作し、画像形成装置３０Ａ，３０Ｂの記憶部１３２は通信設定情報ＩＮＦ１０を記憶している。これにより、例えば、スマートフォン２０Ａは、アクセスポイント１０を介して画像形成装置３０Ａと無線通信Ｗを行い、印刷データＤＰを画像形成装置３０Ａに送信する。そして、画像形成装置３０Ａは、この印刷データＤＰを受信し、受信した印刷データＤＰに基づいて、記録媒体に画像を形成する。画像形成装置３０Ｂについても同様である。
【００５９】
画像形成システム１Ｂ（図１Ｂ）では、アクセスポイント１０の記憶部１１２は通信設定情報ＩＮＦ１０を記憶し、スマートフォン２０Ａ，２０Ｂの記憶部１２２は通信設定情報ＩＮＦ１０を記憶している。また、画像形成装置３０Ａは、インフラストラクチャモードＭ１で動作し、画像形成装置３０Ａの記憶部１３２は通信設定情報ＩＮＦ１０を記憶している。これにより、例えば、スマートフォン２０Ａは、アクセスポイント１０を介して画像形成装置３０Ａと無線通信Ｗを行い、印刷データＤＰを画像形成装置３０Ａに送信する。そして、画像形成装置３０Ａは、この印刷データＤＰを受信し、受信した印刷データＤＰに基づいて、記録媒体に画像を形成する。
【００６０】
また、この画像形成システム１Ｂでは、スマートフォン２０Ｃの記憶部１２２は、一時的に、通信設定情報ＩＮＦ２０を記憶している。また、画像形成装置３０Ｂは、アクセスポイントモードＭ２で動作し、画像形成装置３０Ｂの記憶部１３２は、一時的に、通信設定情報ＩＮＦ２０を記憶している。これにより、例えば、スマートフォン２０Ｃは、アクセスポイント１０を介さずに、直接、画像形成装置３０Ｂと無線通信Ｗを行い、印刷データＤＰを画像形成装置３０Ｂに送信する。そして、画像形成装置３０Ｂは、この印刷データＤＰを受信し、受信した印刷データＤＰに基づいて、記録媒体に画像を形成する。
【００６１】
（詳細動作）
大阪オフィスでは、画像形成装置３０Ｂは、通常は、インフラストラクチャモードＭ１で動作し、画像形成装置３０Ｂの記憶部１３２は、アクセスポイント１０との間で無線通信Ｗを確立するための通信設定情報ＩＮＦ１０（図１１）を記憶している。これにより、図１Ａに示したように、例えば、スマートフォン２０Ａは、アクセスポイント１０を介して画像形成装置３０Ｂと無線通信Ｗを行い、印刷データＤＰを画像形成装置３０Ｂに送信する。そして、画像形成装置３０Ｂは、この印刷データＤＰを受信し、受信した印刷データＤＰに基づいて、記録媒体に画像を形成する。
【００６２】
スマートフォン２０Ｃのユーザは、通常は東京オフィスにおり、スマートフォン２０Ｃの記憶部１２２は、東京オフィスに設置されたアクセスポイント９（図示せず）との間で無線通信Ｗを確立するための通信設定情報ＩＮＦ９（図６）を記憶している。これにより、スマートフォン２０Ｃは、東京オフィスにおいて、アクセスポイント９を介して無線通信Ｗを行う。
【００６３】
そして、このスマートフォン２０Ｃのユーザが、大阪オフィスに出張し、画像形成装置３０Ｂを用いて印刷を行いたい場合には、ユーザは、スマートフォン２０Ｃおよび画像形成装置３０Ｂを操作することにより、画像形成装置３０ＢをアクセスポイントモードＭ２で動作させるとともに、スマートフォン２０Ｃにおけるデータ通信モジュール１２０の通信設定情報ＩＮＦを通信設定情報ＩＮＦ２０（図７）に一時的に書き換え、画像形成装置３０Ｂにおけるデータ通信モジュール１３０の通信設定情報ＩＮＦを通信設定情報ＩＮＦ２０（図１２）に一時的に書き換える。これにより、図１Ｂに示したように、スマートフォン２０Ｃは、アクセスポイント１０を介さずに、直接、画像形成装置３０Ｂと無線通信Ｗを行い、印刷データＤＰを画像形成装置３０Ｂに送信し、画像形成装置３０Ｂは、この印刷データＤＰに基づいて、記録媒体に画像を形成することができる。以下に、この動作について詳細に説明する。
【００６４】
図１３Ａ，１３Ｂは、スマートフォン２０Ｃおよび画像形成装置３０Ｂの一動作例を表すものである。図１３Ａ，１３Ｂにおいて、ユーザの操作を括弧内に示している。
【００６５】
まず、スマートフォン２０Ｃのユーザが、スマートフォン２０Ｃの表示操作部２１を操作することにより、印刷アプリケーションソフトウェア２００の起動を指示すると、スマートフォン２０Ｃの処理部２３は、記憶部２４にインストールされた印刷アプリケーションソフトウェア２００を起動する（ステップＳ１０１）。
【００６６】
そして、スマートフォン２０Ｃの表示操作部２１は、表示操作プログラム２０１を実行する処理部２３からの指示に基づいて、写真選択画面２１０を表示する（ステップＳ１０２）。
【００６７】
図１４は、スマートフォン２０Ｃの表示操作部２１が表示する写真選択画面２１０の一例を表すものである。この写真選択画面２１０は、写真一覧表示部２１１と、メッセージ表示部２１２とを含んでいる。写真一覧表示部２１１には、写真のサムネイルの一覧が表示され、メッセージ表示部２１２には、ユーザへのメッセージが表示される。この例では、メッセージ表示部２１２には、ユーザに対して、写真の選択を促すメッセージが表示されている。
【００６８】
ユーザは、表示操作部２１を操作することにより、スマートフォン２０Ｃの表示操作部２１に表示された写真のサムネイルの一覧から、印刷する写真を選択する。
【００６９】
次に、スマートフォン２０Ｃの表示操作部２１は、表示操作プログラム２０１を実行する処理部２３からの指示に基づいて、ユーザに対して、印刷する画像形成装置３０（この例では画像形成装置３０Ｂ）を操作することにより“スマートフォンから印刷”を選択するように促す指示画面２２０を表示する（ステップＳ１０３）。
【００７０】
図１５は、スマートフォン２０Ｃの表示操作部２１が表示する指示画面２２０の一例を表すものである。この指示画面２２０の写真一覧表示部２１１には、複数のサムネイルのうちの、ユーザにより選択された写真のサムネイルが、この例では網掛けされて表示される。また、メッセージ表示部２１２には、ユーザに対して、“スマートフォンから印刷”の選択を促すメッセージが表示される。
【００７１】
ユーザは、印刷を行う画像形成装置３０（この例では画像形成装置３０Ｂ）の表示操作部３１を操作することにより、メニューから、“スマートフォンから印刷”を選択する。
【００７２】
図１６〜１８は、画像形成装置３０Ｂの表示操作部３１の一例を表すものである。図９に示した待機画面において、ユーザが例えば上ボタン４２を操作すると、表示操作部３１の表示部４１は、図１６に示したように、“メニュー” の項目を表示する。その後に、さらにユーザが例えば上ボタン４２または下ボタン４３を操作すると、表示操作部３１の表示部４１は、図１７に示したように、“スマートフォンから印刷”の項目を表示する。そして、ユーザが、“ＯＫ”ボタン４４を操作することにより、“スマートフォンから印刷”が選択される。
【００７３】
画像形成装置３０Ｂの表示操作部３１は、このようにして、ユーザによる“スマートフォンから印刷”の選択を受け付ける（ステップＳ１０４）。これにより、表示操作部３１の表示部４１は、図１８に示したように、画像形成装置３０Ｂが“接続待ち”である旨を表示する。
【００７４】
スマートフォン２０Ｃでは、ステップＳ１０３において指示画面２２０を表示した後に、制御部２２は、記憶部２４が、印刷アプリケーションソフトウェア２００をインストールしたときに記憶された通信設定情報ＩＮＦ２０以外に、通信設定情報ＩＮＦを記憶しているかどうかを確認する（ステップＳ１０５）。ステップＳ１０５において、記憶部２４が、通信設定情報ＩＮＦ２０以外に、通信設定情報ＩＮＦを記憶していない場合（ステップＳ１０５において“Ｎ”）には、ステップＳ１０７に進む。すなわち、この場合には、スマートフォン２０Ｃには、通常使用している通信設定がないので、ステップＳ１０７に進む。
【００７５】
ステップＳ１０５において、記憶部２４が、通信設定情報ＩＮＦ２０以外に、通信設定情報ＩＮＦを記憶している場合（ステップＳ１０５において“Ｙ”）には、制御部２２は、通常使用している通信設定があると判断し、通信設定情報ＩＮＦを記憶しているかどうかを示す記憶フラグＦ１を“１”に設定する（ステップＳ１０６）。すなわち、この場合には、スマートフォン２０Ｃには、通常使用している通信設定があるので、制御部２２は、後ほど通信設定を元に戻すために記憶フラグＦ１を“１”に設定する。そして、ステップＳ１０７に進む。
【００７６】
この例では、スマートフォン２０Ｃの記憶部２４は、図４，５に示したように、通信設定情報ＩＮＦ２０以外に、東京オフィスに設置されたアクセスポイント９（図示せず）との間で無線通信Ｗを確立するための通信設定情報ＩＮＦ９を記憶しているため（ステップＳ１０５において“Ｙ”）、ステップＳ１０６において、記憶フラグＦ１を“１”に設定する。
【００７７】
次に、スマートフォン２０Ｃの制御部２２は、記憶部２４に記憶された通信設定情報ＩＮＦ２０に基づいて、データ通信モジュール１２０の通信設定を行う（ステップＳ１０７）。具体的には、制御部２２は、記憶部２４に記憶された通信設定情報ＩＮＦ２０を、一時的に、データ通信モジュール１２０の記憶部１２２に記憶させることにより、データ通信モジュール１２０の通信設定を行う。すなわち、この例では、このステップＳ１０７よりも前では、スマートフォン２０Ｃの記憶部１２２は、東京オフィスに設置されたアクセスポイント９（図示せず）との間で無線通信Ｗを確立するための通信設定情報ＩＮＦ９を記憶しているので、制御部２２は、通信設定情報ＩＮＦ２０を、一時的に記憶部１２２に記憶させる。そして、スマートフォン２０Ｃは、新たな通信設定に基づいて、無線通信Ｗを開始する。
【００７８】
一方、画像形成装置３０Ｂでは、ステップＳ１０４において、ユーザによる“スマートフォンから印刷”の選択を受け付けた後に、制御部３２は、記憶部３３が、ファームウェアをインストールしたときに記憶された通信設定情報ＩＮＦ２０以外に、通信設定情報ＩＮＦを記憶しているかどうかを確認する（ステップＳ１０８）。ステップＳ１０８において、記憶部３３が、通信設定情報ＩＮＦ２０以外に、通信設定情報ＩＮＦを記憶していない場合（ステップＳ１０８において“Ｎ”）には、ステップＳ１１０に進む。すなわち、この場合には、画像形成装置３０Ｂには、通常使用している通信設定がないので、ステップＳ１０７に進む。
【００７９】
ステップＳ１０８において、記憶部３３が、通信設定情報ＩＮＦ２０以外に、通信設定情報ＩＮＦを記憶している場合（ステップＳ１０８において“Ｙ”）には、制御部３２は、通信設定情報ＩＮＦを記憶しているかどうかを示す記憶フラグＦ２を“１”に設定する（ステップＳ１０９）。すなわち、この場合には、画像形成装置３０Ｂには、通常使用している通信設定があるので、制御部３２は、後ほど通信設定を元に戻すために記憶フラグＦ２を“１”に設定する。そして、ステップＳ１１０に進む。
【００８０】
この例では、画像形成装置３０Ｂの記憶部３３は、図８，１０に示したように、通信設定情報ＩＮＦ２０以外に、大阪オフィスに設置されたアクセスポイント１０との間で無線通信Ｗを確立するための通信設定情報ＩＮＦ１０を記憶しているため（ステップＳ１０８において“Ｙ”）、ステップＳ１０９において、記憶フラグＦ２を“１”に設定する。
【００８１】
次に、画像形成装置３０Ｂは、記憶部３３に記憶された通信設定情報ＩＮＦ２０に基づいて、データ通信モジュール１３０の通信設定を行うとともに、アクセスポイントモードＭ２で動作を開始する（ステップＳ１１０）。具体的には、画像形成装置３０Ｂの制御部３２は、記憶部３３に記憶された通信設定情報ＩＮＦ２０を、一時的に、データ通信モジュール１３０の記憶部１３２に記憶させることにより、データ通信モジュール１３０の通信設定を行う。すなわち、この例では、このステップＳ１１０よりも前では、画像形成装置３０Ｂの記憶部１３２は、アクセスポイント１０との間で無線通信Ｗを確立するための通信設定情報ＩＮＦ１０を記憶しているので、制御部３２は、一時的に、通信設定情報ＩＮＦ２０を、記憶部１３２に記憶させる。そして、画像形成装置３０Ｂのデータ通信モジュール１３０は、制御部３２からの指示に基づいて、アクセスポイントモードＭ２で、無線通信Ｗを開始する。すなわち、この例では、このステップＳ１１０よりも前では、画像形成装置３０Ｂのデータ通信モジュール１３０は、インフラストラクチャモードＭ１で動作しているので、データ通信モジュール１３０は、制御部３２からの指示に基づいて、動作モードＭをアクセスポイントモードＭ２に切り替える。
【００８２】
このようにして、ステップＳ１０７において、スマートフォン２０Ｃは、通信設定情報ＩＮＦ２０に基づいて通信設定を行い、新たな通信設定に基づいて、無線通信Ｗを開始する。そして、ステップＳ１１０において、画像形成装置３０Ｂは、通信設定情報ＩＮＦ２０に基づいて通信設定を行い、新たな通信設定に基づいて、アクセスポイントモードＭ２で無線通信Ｗを開始する。そして、その結果、スマートフォン２０Ｃおよび画像形成装置３０Ｂは、無線通信Ｗを確立する（ステップＳ１１１）。その際、アクセスポイントモードＭ２で動作する画像形成装置３０Ｂの制御部１３１は、ＤＨＣＰ（Dynamic Host Configuration Protocol）サーバとしても動作し、スマートフォン２０Ｃに対してＩＰ（Internet Protocol）アドレスを割り当てる。
【００８３】
スマートフォン２０Ｃの制御部２２が、ステップＳ１１１における無線通信Ｗの確立を検出すると、次に、スマートフォン２０Ｃの表示操作部２１は、表示操作プログラム２０１を実行する処理部２３からの指示に基づいて、印刷を行うかどうかを確認する確認画面２３０を表示する（ステップＳ１１２）。
【００８４】
図１９は、スマートフォン２０Ｃの表示操作部２１が表示する確認画面２３０の一例を表すものである。この確認画面２３０のメッセージ表示部２１２には、無線通信Ｗが確立した旨（“接続完了”）、および印刷を行うかどうかを確認するメッセージが表示される。また、写真一覧表示部２１１における、ユーザにより選択された写真のサムネイルに対応する位置に、印刷ボタン２３１が表示される。
【００８５】
ユーザは、スマートフォン２０Ｃの表示操作部２１が表示する印刷ボタン２３１を操作することにより、印刷を行う旨を指示する。
【００８６】
次に、スマートフォン２０Ｃの処理部２３は、印刷データ処理プログラム２０２を実行することにより、ユーザが選択した写真を印刷するための印刷データＤＰを生成する（ステップＳ１１３）。
【００８７】
次に、スマートフォン２０Ｃのデータ通信モジュール１２０は、ステップＳ１１１において確立した無線通信Ｗにより、画像形成装置３０Ｂのデータ通信モジュール１３０に対して、印刷データＤＰを送信する（ステップＳ１１４）。そして、画像形成装置３０Ｂのデータ通信モジュール１３０は、この印刷データＤＰを受信する。
【００８８】
次に、画像形成装置３０Ｂの画像形成部３４は、印刷データＤＰに基づいて、記録媒体に画像を形成する（ステップＳ１１５）。
【００８９】
次に、画像形成装置３０Ｂのデータ通信モジュール１３０は、ステップＳ１１１において確立した無線通信Ｗにより、スマートフォン２０Ｃのデータ通信モジュール１２０に対して、印刷完了通知を送信する（ステップＳ１１６）。そして、スマートフォン２０Ｃのデータ通信モジュール１２０は、この印刷完了通知を受信する。
【００９０】
図２０は、印刷完了通知の一例を表すものである。この印刷完了通知は、ヘッダ情報と、送信元のＩＰアドレスについての情報と、送信先のＩＰアドレスについての情報と、データとを含んでいる。このデータは、印刷が完了した旨の情報を示すものである。
【００９１】
スマートフォン２０Ｃが、この印刷完了通知を受け取ると、次に、スマートフォン２０Ｃのデータ通信モジュール１２０は、画像形成装置３０Ｂへの無線接続を終了する（ステップＳ１１７）。
【００９２】
次に、スマートフォン２０Ｃの制御部２２は、記憶フラグＦ１が“１”である（Ｆ１＝１）かどうかを確認する（ステップＳ１１８）。記憶フラグＦ１が“１”でない場合（ステップＳ１１８において“Ｎ”）には、このシーケンスは終了する。すなわち、この場合には、スマートフォン２０Ｃには、通常使用している通信設定がないので、スマートフォン２０Ｃは、無線通信Ｗを終了する。
【００９３】
記憶フラグＦ１が“１”である場合（ステップＳ１１８において“Ｙ”）には、スマートフォン２０Ｃに通常使用している通信設定があるので、スマートフォン２０Ｃの制御部２２は、記憶フラグＦ１を“０”に設定するとともに、データ通信モジュール１２０の通信設定を、通常使用している通信設定に戻す（ステップＳ１１９）。そして、このシーケンスは終了する。
【００９４】
この例では、ステップＳ１０６において、記憶フラグＦ１を“１”に設定しているので（ステップＳ１１８において“Ｙ”）、制御部２２は、記憶フラグＦ１を“０”に設定するとともに、データ通信モジュール１２０の記憶部１２２の通信設定情報ＩＮＦを、ステップＳ１０７よりも前に記憶部１２２が記憶していた通信設定情報ＩＮＦ９に戻す。これにより、スマートフォン２０Ｃは、ユーザが東京オフィスに戻ったときに、東京オフィスのアクセスポイント９（図示せず）に接続することができる。
【００９５】
一方、画像形成装置３０Ｂでは、ステップＳ１１６において印刷完了通知を送信した後に、アクセスポイントモードＭ２での動作を停止する（ステップＳ１２０）。
【００９６】
次に、画像形成装置３０Ｂの制御部３２は、記憶フラグＦ２が“１”である（Ｆ２＝１）かどうかを確認する（ステップＳ１２１）。記憶フラグＦ２が“１”でない場合（ステップＳ１２１において“Ｎ”）には、このシーケンスは終了する。すなわち、この場合には、画像形成装置３０Ｂには、通常使用している通信設定がないので、画像形成装置３０Ｂは、無線通信Ｗを終了する。
【００９７】
記憶フラグＦ２が“１”である場合（ステップＳ１２１において“Ｙ”）には、画像形成装置３０Ｂに通常使用している通信設定があるので、画像形成装置３０Ｂの制御部３２は、記憶フラグＦ２を“０”に設定するとともに、データ通信モジュール１３０の通信設定を、通常使用している通信設定に戻す（ステップＳ１２２）。そして、このシーケンスは終了する。
【００９８】
この例では、ステップＳ１０９において、記憶フラグＦ２を“１”に設定しているので（ステップＳ１２１において“Ｙ”）、制御部３２は、記憶フラグＦ２を“０”に設定するとともに、データ通信モジュール１３０の記憶部１３２の通信設定情報ＩＮＦを、ステップＳ１１０よりも前に記憶部１３２が記憶していた通信設定情報ＩＮＦ１０に戻す。これにより、画像形成装置３０Ｂは、インフラストラクチャモードＭ１で動作し、アクセスポイント１０との間で無線通信Ｗを再度確立する。
【００９９】
以上のように、画像形成システム１では、通常使用する通信設定情報ＩＮＦとは別に、固定的な通信設定情報ＩＮＦ２０を設けるようにした。そして、画像形成システム１では、例えば、スマートフォン２０Ｃを有するユーザが大阪オフィスに出張したときに、大阪オフィスの画像形成装置３０Ｂを、アクセスポイントモードＭ２で動作させるとともに、この固定的な通信設定情報ＩＮＦ２０に基づいてスマートフォン２０Ｃおよび画像形成装置３０Ｂの通信設定を行うようにした。これにより、画像形成システム１では、スマートフォン２０Ｃのユーザは、ＳＳＩＤや暗号化キーを入力する手間が省けるため、ユーザの利便性を高めることができる。
【０１００】
すなわち、スマートフォン２０Ｃを、アクセスポイント１０を介して画像形成装置３０Ｂに接続する場合には、アクセスポイント１０の通信設定情報ＩＮＦ１０に応じて、スマートフォン２０Ｃの通信設定を行う必要がある。すなわち、この場合には、スマートフォン２０Ｃのユーザは、スマートフォン２０Ｃを操作することにより、ＳＳＩＤや暗号化キーを入力する必要がある。特に、例えばネットワーク管理者がＳＳＩＤや暗号化キーを変更した場合には、スマートフォン２０Ｃのユーザは、その都度、ＳＳＩＤや暗号化キーを入力する必要がある。一方、画像形成システム１では、画像形成装置３０Ｂを、アクセスポイントモードＭ２で動作させるとともに、固定的な通信設定情報ＩＮＦ２０に基づいてスマートフォン２０Ｃおよび画像形成装置３０Ｂの通信設定を行うようにした。これにより、スマートフォン２０Ｃのユーザは、ＳＳＩＤや暗号化キーを入力する手間が省けるため、ユーザの利便性を高めることができる。
【０１０１】
また、画像形成システム１では、印刷が終了した後に、スマートフォン２０Ｃおよび画像形成装置３０Ｂの通信設定を戻すようにしたので、通信設定を戻すためにユーザが操作を行う必要がないので、ユーザの利便性を高めることができる。
【０１０２】
また、画像形成システム１では、通常使用している通信設定がない場合には、印刷が終了した後において、無線通信Ｗを再度確立しないようにした。これにより、画像形成システム１では、電波の発生を抑えることができる。その結果、例えば、医療機器、測定機器など、電波による性能低下が懸念される機器が存在する建物内において、トラブルが発生するリスクを低減することができる。
【０１０３】
［効果］
以上のように本実施の形態では、通常使用する通信設定情報とは別に、固定的な通信設定情報を設けるようにしたので、ＳＳＩＤや暗号化キーを入力する手間が省けるため、ユーザの利便性を高めることができる。
【０１０４】
本実施の形態では、印刷が終了した後に、スマートフォンおよび画像形成装置の通信設定を戻すようにしたので、ユーザの利便性を高めることができる。
【０１０５】
本実施の形態では、通常使用している通信設定がない場合には、印刷が終了した後において、無線通信Ｗを再度確立しないようにしたので、電波の発生を抑えることができるため、医療機器、測定機器など、電波による性能低下が懸念される機器が存在する建物内において、トラブルが発生するリスクを低減することができる。
【０１０６】
［変形例１−１］
上記実施の形態では、スマートフォン２０を用いて画像形成システム１を構成したが、これに限定されるものではなく、これに代えて、例えば、タブレット端末、ノート型パーソナルコンピュータ、ＰＤＡ（Personal Digital Assistant）などの携帯端末を用いて画像形成システムを構成してもよい。
【０１０７】
［変形例１−２］
上記実施の形態では、１つのスマートフォン２０（この例ではスマートフォン２０Ｃ）を、アクセスポイントモードＭ２で動作する画像形成装置３０Ｂに無線接続したが、これに限定されるものではなく、例えば、複数のスマートフォン２０を同時にアクセスポイントモードＭ２で動作する画像形成装置３０Ｂに無線接続してもよい。この場合、複数のスマートフォン２０のそれぞれは、上記実施の形態の場合（図１３Ａ）と同様に、印刷アプリケーションソフトウェア２００を起動し（ステップＳ１０１）、写真選択画面２１０を表示し（ステップＳ１０２）、“スマートフォンから印刷”の選択を促す指示画面２２０を表示し（ステップＳ１０３）、通信設定情報ＩＮＦ２０に基づいて通信設定を行う（ステップＳ１０５〜Ｓ１０７）。同様に、画像形成装置３０Ｂは、“スマートフォンから印刷”の選択を受け付け（ステップＳ１０４）、通信設定情報ＩＮＦ２０に基づいて通信設定を行うとともに、アクセスポイントモードＭ２で動作を開始する（ステップＳ１０８〜Ｓ１１０）。これにより、複数のスマートフォン２０および画像形成装置３０Ｂは、無線通信Ｗを確立する（ステップＳ１１１）。その際、アクセスポイントモードＭ２で動作する画像形成装置３０Ｂの制御部１３１は、ＤＨＣＰサーバとしても動作し、複数のスマートフォン２０のそれぞれに対して、互いに異なるＩＰアドレスを割り当てる。
【０１０８】
［変形例１−３］
上記実施の形態では、画像形成装置３０Ｂが２つの動作モードＭを有するようにしたが、これに限定されるものではなく、これに代えて、例えば、スマートフォン２０Ｃが２つの動作モードＭ（インフラストラクチャモードＭ１およびアクセスポイントモードＭ２）を有するようにしてもよい。この場合でも、例えば、スマートフォン２０Ｃを有するユーザが大阪オフィスに出張したときに、スマートフォン２０ＣをアクセスポイントモードＭ２で動作させるとともに、固定的な通信設定情報ＩＮＦ２０に基づいてスマートフォン２０Ｃおよび画像形成装置３０Ｂの通信設定を行うことにより、スマートフォン２０Ｃのユーザの利便性を高めることができる。
【０１０９】
［変形例１−４］
上記実施の形態では、スマートフォン２０Ｃが画像形成装置３０Ｂに印刷データＤＰを送信したが、これに限定されるものではない。例えば、画像形成装置３０Ｂに代えて、画像形成装置の代わりに、コピー機能、ファックス機能、スキャン機能、プリント機能などを有する、いわゆる多機能周辺装置（ＭＦＰ；Multi  Function Peripheral）を用いてもよい。図２１は、多機能周辺装置９０Ｂの一構成例を表すものである。多機能周辺装置９０Ｂは、制御部９２と、記憶部９３と、画像読取部９６と、ＦＡＸ通信部９７とを有している。制御部９２は、多機能周辺装置９０Ｂにおける動作を制御するものである。記憶部９３は、多機能周辺装置９０Ｂにおいて実行されるプログラム、通信データ、各種設定データなどを記憶するものである。画像読取部９６は、紙などの読取媒体に記録された情報を読み取るものであり、例えばＣＩＳ（Contact Image Sensor）を用いて構成されるものである。ＦＡＸ通信部９７は、電話回線を介して通信相手との間でＦＡＸデータを送受信するものである。このような多機能周辺装置９０Ｂを用いて画像形成システムを構成し、例えば、無線通信Ｗにおいて、画像読取部９６が読み取ったデータ（スキャンデータＤＳ）をスマートフォン２０Ｃに送信してもよい。
【０１１０】
＜２．第２の実施の形態＞
次に、第２の実施の形態に係る画像形成システム２について説明する。本実施の形態は、通常使用する通信設定情報とは別に、例えば画像形成装置の電源を投入する度に自動的に変更される通信設定情報を用いて、無線通信Ｗを確立するものである。すなわち、上記第１の実施の形態では、通常使用する通信設定情報とは別に、固定的な通信設定情報を用いたが、これに代えて、本実施の形態では、自動的に変更される通信設定情報を用いている。なお、上記第１の実施の形態に係る画像形成システム１と実質的に同一の構成部分には同一の符号を付し、適宜説明を省略する。
【０１１１】
図１Ａ，１Ｂに示したように、画像形成システム２は、アクセスポイント１０と、３つのスマートフォン５０（スマートフォン５０Ａ，５０Ｂ，５０Ｃ）と、２つの画像形成装置６０（画像形成装置６０Ａ，６０Ｂ）とを備えている。スマートフォン５０のそれぞれは、無線ＬＡＮを用いて無線通信Ｗを行う機能に加えて、近距離無線通信を用いて通信を行う機能をも有している。同様に、画像形成装置６０のそれぞれは、無線ＬＡＮを用いて無線通信Ｗを行う機能に加えて、近距離無線通信（ＮＦＣ；Near Field Communication）を用いて通信を行う機能をも有している。
【０１１２】
（スマートフォン５０）
次に、スマートフォン５０の一構成例について、スマートフォン５０Ｃを例に挙げて説明する。
【０１１３】
図２２は、スマートフォン５０Ｃの一構成例を表すものである。スマートフォン５０Ｃは、制御部５２と、処理部５３と、記憶部５４と、ＮＦＣ通信部５７を有している。
【０１１４】
制御部５２は、スマートフォン５０Ｃにおける動作を制御するものである。処理部５３は、プログラムを実行することにより、様々な処理を行うものである。このスマートフォン５０Ｃには、印刷アプリケーションソフトウェア５００がインストールされており、処理部５３は、この印刷アプリケーションソフトウェア５００を実行する。この印刷アプリケーションソフトウェア５００は、表示操作プログラム５０１と、印刷データ処理プログラム５０２とを含んでいる。
【０１１５】
記憶部５４は、スマートフォン５０Ｃにおいて実行されるプログラム、通信データ、各種設定データなどを記憶するものである。記憶部５４は、インストールされた印刷アプリケーションソフトウェア５００を記憶している。また、記憶部５４は、２つの通信設定情報ＩＮＦ９，ＩＮＦ２０を記憶している。この通信設定情報ＩＮＦ２０は、画像形成装置６０Ｂにより生成されるものである。そして、スマートフォン５０Ｃは、画像形成装置６０Ｂとの間で近距離無線通信を行うことにより、画像形成装置６０Ｂからこの通信設定情報ＩＮＦ２０を受け取り、この通信設定情報ＩＮＦ２０を記憶部５４に記憶させるようになっている。
【０１１６】
ＮＦＣ通信部５７は、画像形成装置３０のＮＦＣリーダライタ６６（後述）との間で近距離無線通信を行うものである。
【０１１７】
以上、スマートフォン５０Ｃを例に挙げて説明したが、スマートフォン５０Ａ，５０Ｂについても同様である。例えば、スマートフォン５０Ａでは、データ通信モジュール１２０の記憶部１２２は、通信設定情報ＩＮＦ１０を記憶している。これにより、スマートフォン５０Ａは、図１Ａに示したように、アクセスポイント１０を介して画像形成装置６０Ａ，６０Ｂと無線通信Ｗを行うことができ、図１Ｂに示したように、アクセスポイント１０を介して画像形成装置６０Ａと無線通信Ｗを行うことができるようになっている。
【０１１８】
（画像形成装置６０）
次に、画像形成装置６０の一構成例について、画像形成装置６０Ｂを例に挙げて説明する。
【０１１９】
図２３は、画像形成装置６０Ｂの一構成例を表すものである。画像形成装置６０Ｂは、制御部６２と、処理部６７と、記憶部６３と、ＮＦＣリーダライタ６６とを有している。
【０１２０】
制御部６２は、画像形成装置６０Ｂにおける動作を制御するものである。処理部６７は、プログラムを実行することにより、様々な処理を行うものである。制御部６２および処理部６７は、例えばＣＰＵおよびＲＡＭを含むモジュールを用いて構成される。この画像形成装置６０Ｂには、通信設定情報生成プログラム６００を含むファームウェアがインストールされており、処理部６７は、この通信設定情報生成プログラム６００を実行する。この通信設定情報生成プログラム６００は、例えば、画像形成装置６０Ｂの電源を投入する度に、例えば乱数を用いて、通信設定情報ＩＮＦ２０を生成するものである。すなわち、通信設定情報ＩＮＦ２０に含まれるＳＳＩＤおよび暗号化キーは、ランダムなものである。
【０１２１】
記憶部６３は、画像形成装置６０Ｂにおいて実行されるプログラム、通信データ、各種設定データなどを記憶するものである。記憶部６３は、２つの通信設定情報ＩＮＦ１０，ＩＮＦ２０を記憶している。通信設定情報ＩＮＦ２０は、通信設定情報生成プログラム６００を実行する処理部６７により生成され、この記憶部６３に記憶される。
【０１２２】
ＮＦＣリーダライタ６６は、スマートフォン５０のＮＦＣ通信部５７との間で近距離無線通信を行うものである。
【０１２３】
以上、画像形成装置６０Ｂを例に挙げて説明したが、画像形成装置６０Ａについても同様である。画像形成装置６０Ａでは、データ通信モジュール１３０の記憶部１３２は、通信設定情報ＩＮＦ１０を記憶している。これにより、画像形成装置６０Ａは、図１Ａ，１Ｂに示したように、アクセスポイント１０を介してスマートフォン５０Ａ，５０Ｂと無線通信Ｗを行うことができるようになっている。
【０１２４】
ここで、スマートフォン５０Ｃは、本発明における「第１の携帯端末」の一具体例に対応する。画像形成装置６０Ｂは、本発明における「画像形成装置」の一具体例に対応する。ＮＦＣ通信部５７は、本発明における「取得部」の一具体例に対応する。記憶部５４は、本発明における「第１の記憶部」の一具体例に対応する。制御部５２および処理部５３は、本発明における「第１の設定部」の一具体例に対応する。記憶部６３は、本発明における「第２の記憶部」の一具体例に対応する。ＮＦＣリーダライタ６６は、本発明における「供給部」の一具体例に対応する。制御部６２は、本発明における「第２の設定部」の一具体例に対応する。処理部６７は、本発明における「情報生成部」の一具体例に対応する。
【０１２５】
図２４Ａ，２４Ｂは、スマートフォン５０Ｃおよび画像形成装置６０Ｂの一動作例を表すものである。
【０１２６】
画像形成装置６０Ｂの処理部６７は、画像形成装置６０Ｂの電源投入時に、通信設定情報生成プログラム６００を実行することにより、通信設定情報ＩＮＦ２０を生成する（ステップＳ２０１）。そして、記憶部６３は、処理部６７が生成した通信設定情報ＩＮＦ２０を記憶する。
【０１２７】
その後、スマートフォン５０Ｃのユーザが、印刷アプリケーションソフトウェア５００の起動を指示すると、スマートフォン５０Ｃの処理部５３は、記憶部５４にインストールされた印刷アプリケーションソフトウェア５００を起動し（ステップＳ１０１）、スマートフォン５０Ｃの表示操作部２１は、表示操作プログラム５０１を実行する処理部５３からの指示に基づいて、写真選択画面２１０を表示する（ステップＳ１０２）。そして、ユーザは、表示操作部２１を操作することにより、スマートフォン５０Ｃの表示操作部２１に表示された写真のサムネイルの一覧から、印刷する写真を選択する。
【０１２８】
次に、スマートフォン５０Ｃの表示操作部２１は、表示操作プログラム５０１を実行する処理部５３からの指示に基づいて、ユーザに対して、印刷する画像形成装置６０（この例では画像形成装置６０Ｂ）のＮＦＣリーダライタ６６にスマートフォン５０Ｃをかざすように促す指示画面５２０を表示する（ステップＳ２０２）。
【０１２９】
図２５は、スマートフォン５０Ｃの表示操作部２１が表示する指示画面５２０の一例を表すものである。この指示画面５２０の写真一覧表示部２１１には、複数のサムネイルのうちの、ユーザにより選択された写真のサムネイルが、この例では網掛けされて表示される。また、メッセージ表示部２１２には、ユーザに対して、印刷する画像形成装置６０（この例では画像形成装置６０Ｂ）のＮＦＣリーダライタ６６にスマートフォン５０Ｃをかざすように促すメッセージが表示される。
【０１３０】
ユーザは、スマートフォン５０Ｃを、印刷を行う画像形成装置６０（この例では画像形成装置６０Ｂ）のＮＦＣリーダライタ６６にかざす。
【０１３１】
次に、画像形成装置６０ＢのＮＦＣリーダライタ６６は、記憶部６３に記憶された通信設定情報ＩＮＦ２０を、近距離無線通信により、スマートフォン５０ＣのＮＦＣ通信部５７に対して送信する（ステップＳ２０３）。スマートフォン５０ＣのＮＦＣ通信部５７は、この通信設定情報ＩＮＦ２０を受信する。そして、スマートフォン５０Ｃの記憶部５４は、この通信設定情報ＩＮＦ２０を記憶する。
【０１３２】
次に、スマートフォン５０Ｃの制御部５２は、記憶部５４が、近距離無線通信により取得した通信設定情報ＩＮＦ２０以外に、通信設定情報ＩＮＦを記憶しているかどうかを確認する（ステップＳ１０５）。ステップＳ１０５において、記憶部５４が、通信設定情報ＩＮＦ２０以外に、通信設定情報ＩＮＦを記憶していない場合（ステップＳ１０５において“Ｎ”）には、ステップＳ１０７に進む。
【０１３３】
ステップＳ１０５において、記憶部５４が、通信設定情報ＩＮＦ２０以外に、通信設定情報ＩＮＦを記憶している場合（ステップＳ１０５において“Ｙ”）には、制御部５２は、通常使用している通信設定があると判断し、通信設定情報ＩＮＦを記憶しているかどうかを示す記憶フラグＦ１を“１”に設定する（ステップＳ１０６）。そして、ステップＳ１０７に進む。
【０１３４】
この例では、スマートフォン５０Ｃの記憶部５４は、第１の実施の形態の場合と同様に、通信設定情報ＩＮＦ２０以外に、東京オフィスに設置されたアクセスポイント９（図示せず）との間で無線通信Ｗを確立するための通信設定情報ＩＮＦ９を記憶しているため（ステップＳ１０５において“Ｙ”）、ステップＳ１０６において、記憶フラグＦ１を“１”に設定する。
【０１３５】
次に、スマートフォン５０Ｃの制御部５２は、記憶部５４に記憶された通信設定情報ＩＮＦ２０に基づいて、データ通信モジュール１２０の通信設定を行う（ステップＳ１０７）。具体的には、制御部５２は、記憶部５４に記憶された通信設定情報ＩＮＦ２０を、一時的に、データ通信モジュール１２０の記憶部１２２に記憶させることにより、データ通信モジュール１２０の通信設定を行う。そして、スマートフォン５０Ｃは、新たな通信設定に基づいて、無線通信Ｗを開始する。
【０１３６】
一方、画像形成装置６０Ｂでは、ステップＳ２０３において、ＮＦＣリーダライタ６６が通信設定情報ＩＮＦ２０をスマートフォン５０Ｃに対して送信した後に、制御部６２は、記憶部６３が、処理部６７により生成された通信設定情報ＩＮＦ２０以外に、通信設定情報ＩＮＦを記憶しているかどうかを確認する（ステップＳ１０８）。ステップＳ１０８において、記憶部６３が、通信設定情報ＩＮＦ２０以外に、通信設定情報ＩＮＦを記憶していない場合（ステップＳ１０８において“Ｎ”）には、ステップＳ１１０に進む。
【０１３７】
ステップＳ１０８において、記憶部６３が、通信設定情報ＩＮＦ２０以外に、通信設定情報ＩＮＦを記憶している場合（ステップＳ１０８において“Ｙ”）には、制御部６２は、通信設定情報ＩＮＦを記憶しているかどうかを示す記憶フラグＦ２を“１”に設定する（ステップＳ１０９）。そして、ステップＳ１１０に進む。
【０１３８】
この例では、画像形成装置６０Ｂの記憶部６３は、第１の実施の形態の場合と同様に、通信設定情報ＩＮＦ２０以外に、大阪オフィスに設置されたアクセスポイント１０との間で無線通信Ｗを確立するための通信設定情報ＩＮＦ１０を記憶しているため（ステップＳ１０８において“Ｙ”）、ステップＳ１０９において、記憶フラグＦ２を“１”に設定する。
【０１３９】
次に、画像形成装置６０Ｂは、記憶部６３に記憶された通信設定情報ＩＮＦ２０に基づいて、データ通信モジュール１３０の通信設定を行うとともに、アクセスポイントモードＭ２で動作を開始する（ステップＳ１１０）。具体的には、画像形成装置６０Ｂの制御部６２は、記憶部６３に記憶された通信設定情報ＩＮＦ２０を、一時的に、データ通信モジュール１３０の記憶部１３２に記憶させることにより、データ通信モジュール１３０の通信設定を行う。そして、画像形成装置６０Ｂのデータ通信モジュール１３０は、制御部６２からの指示に基づいて、アクセスポイントモードＭ２で、無線通信Ｗを開始する。
【０１４０】
このようにして、ステップＳ１０７において、スマートフォン５０Ｃは、通信設定情報ＩＮＦ２０に基づいて通信設定を行い、新たな通信設定に基づいて、無線通信Ｗを開始する。そして、ステップＳ１１０において、画像形成装置６０Ｂは、通信設定情報ＩＮＦ２０に基づいて通信設定を行い、新たな通信設定に基づいて、アクセスポイントモードＭ２で無線通信Ｗを開始する。そして、その結果、スマートフォン５０Ｃおよび画像形成装置６０Ｂは、無線通信Ｗを確立する（ステップＳ１１１）。
【０１４１】
これ以降の動作は、第１の実施の形態に係る画像形成システム１（図１３Ｂ）の場合と同様である。
【０１４２】
以上のように、画像形成システム２では、例えば画像形成装置６０の電源を投入する度に自動的に変更される、ランダムな通信設定情報ＩＮＦ２０を用いるようにした。これにより、例えば、複数のスマートフォン５０を、アクセスポイントモードＭ２で動作する複数の画像形成装置６０に、それぞれ無線ＬＡＮを用いて接続する場合でも、互いに通信設定情報ＩＮＦが異なるため、それぞれ独立して無線通信Ｗを行うことができる。その結果、ユーザの利便性を高めることができる。
【０１４３】
以上のように本実施の形態では、ランダムな通信設定情報ＩＮＦ２０を用いるようにしたので、ユーザの利便性を高めることができる。その他の効果は、上記第１の実施の形態の場合と同様である。
【０１４４】
［変形例２−１］
上記実施の形態では、通信設定情報生成プログラム６００は、例えば、画像形成装置６０Ｂの電源を投入する度に、ランダムな通信設定情報ＩＮＦ２０を生成したが、これに限定されるものではない。これに代えて、通信設定情報生成プログラムは、例えば、所定の時間（例えば１時間）が経過する度に、ランダムな通信設定情報ＩＮＦ２０を生成してもよいし、例えば、スマートフォン５０がＮＦＣリーダライタ６６にかざされる度に、ランダムな通信設定情報ＩＮＦ２０を生成してもよい。
【０１４５】
［その他の変形例］
上記実施の形態に係る画像形成システムに、上記第１の実施の形態の各変形例を適用してもよい。
【０１４６】
以上、いくつかの実施の形態および変形例を挙げて本技術を説明したが、本技術はこれらの実施の形態等には限定されず、種々の変形が可能である。
【０１４７】
例えば、上記実施の形態では、無線ＬＡＮを用いて無線通信Ｗを行うようにしたが、これに限定されるものではなく、これに代えて、例えばＢｌｕｅｔｏｏｔｈ（登録商標）などを用いて無線通信Ｗを行うようにしてもよい。
【符号の説明】
【０１４８】
１，１Ａ，１Ｂ，２，２Ａ，２Ｂ…画像形成システム、１０…アクセスポイント、１１…制御部、１２…記憶部、１３…接続部、２０，２０Ａ，２０Ｂ，５０，５０Ａ，５０Ｂ…スマートフォン、２１…表示操作部、２２，５２…制御部、２３，５３…処理部、２４，５４…記憶部、２５…電話通信モジュール、２６…接続部、３０，３０Ａ，３０Ｂ，６０，６０Ａ，６０Ｂ…画像形成装置、３１…表示操作部、３２，６２…制御部、３３，６３…記憶部、３４…画像形成部、３５…接続部、４１…表示部、４２…上ボタン、４３…下ボタン、４４…“ＯＫ”ボタン、４５…“戻る”ボタン、５７…ＮＦＣ通信部、６６…ＮＦＣリーダライタ、６７…処理部、９０Ｂ…多機能周辺装置、９２…制御部、９３…記憶部、９６…画像読取部、９７…ＦＡＸ通信部、１１０…データ通信モジュール、１１１…制御部、１１２…記憶部、１１３…通信部、１１３Ａ…アンテナ、１１４…接続部、１２０…データ通信モジュール、１２１…制御部、１２２…記憶部、１２３…通信部、１２３Ａ…アンテナ、１２４…接続部、１３０…データ通信モジュール、１３１…制御部、１３２…記憶部、１３３…通信部、１３３Ａ…アンテナ、１３４…接続部、２００，５００…印刷アプリケーションソフトウェア、２０１，５０１…表示操作プログラム、２０２，５０２…印刷データ処理プログラム、２１０…写真選択画面、２１１…写真一覧表示部、２１２…メッセージ表示部、２２０，５２０…指示画面、２３０…確認画面、２３１…印刷ボタン、６００…通信設定情報生成プログラム、ＤＰ…印刷データ、Ｆ１，Ｆ２…記憶フラグ、ＩＮＦ，ＩＮＦ９，ＩＮＦ１０，ＩＮＦ２０…通信設定情報、Ｍ…動作モード、Ｍ１…インフラストラクチャモード、Ｍ２…アクセスポイントモード、Ｗ…無線通信。
【図１Ａ】
2019072928.tif 000003
【図１Ｂ】
2019072928.tif 000004
【図２】
2019072928.tif 000005
【図３】
2019072928.tif 000006
【図４】
2019072928.tif 000007
【図５】
2019072928.tif 000008
【図６】
2019072928.tif 000009
【図７】
2019072928.tif 000010
【図８】
2019072928.tif 000011
【図９】
2019072928.tif 000012
【図１０】
2019072928.tif 000013
【図１１】
2019072928.tif 000014
【図１２】
2019072928.tif 000015
【図１３Ａ】
2019072928.tif 000016
【図１３Ｂ】
2019072928.tif 000017
【図１４】
2019072928.tif 000018
【図１５】
2019072928.tif 000019
【図１６】
2019072928.tif 000020
【図１７】
2019072928.tif 000021
【図１８】
2019072928.tif 000022
【図１９】
2019072928.tif 000023
【図２０】
2019072928.tif 000024
【図２１】
2019072928.tif 000025
【図２２】
2019072928.tif 000026
【図２３】
2019072928.tif 000027
【図２４Ａ】
2019072928.tif 000028
【図２４Ｂ】
2019072928.tif 000029
【図２５】
2019072928.tif 000030